(57)【要約】【課題】手動の原稿読取で原稿表面に接触物がある場合と自動の原稿読取で原稿を浮かせる場合とで、画質が異なることを抑制すること。【解決手段】画像が記録された原稿（Ｇｉ）が支持される透明な第１の原稿台（３）の厚さ（ｔ１）に基づく、第１の原稿台（３）に支持された原稿（Ｇｉ）に対する読取ユニット（Ｕ２ａ）の光学距離（Ｌ１）に、原稿の搬送部材（Ｕ３ｂ）で離間した状態で搬送される原稿（Ｇｉ）と第２の原稿台（１１）との距離（ｔ３）と、搬送される原稿（Ｇｉ）が通過する透明な第２の原稿台（１１）の厚さ（ｔ２）とに基づく、第２の原稿台（１１）を通過する原稿（Ｇｉ）に対する読取ユニット（Ｕ２ａ）の光学距離（Ｌ２）を、対応させるように、第１の原稿台（３）、第２の原稿台（１１）および原稿（Ｇｉ）が搬送される位置の少なくとも１つが設定された画像の読取装置（Ｕ２）。【選択図】図５
2015173349.tif 000002
【特許請求の範囲】
【請求項１】
画像が記録された原稿が支持される透明な第１の原稿台と、
前記第１の原稿台に隣接して配置され、搬送される原稿が離間した状態で通過する透明な第２の原稿台と、
前記第２の原稿台に向けて原稿を搬送する原稿の搬送部材と、
前記各原稿台を挟んで原稿の反対側に支持されて原稿を読み取る読取ユニットであって、前記原稿台に対して予め設定された第１の方向に沿って移動可能な移動部を有し、前記第１の原稿台の原稿を読み取る場合には、前記移動部が前記第１の方向に移動しながら原稿の画像を読み取ると共に、前記第２の原稿台の原稿を読み取る場合には、前記第２の原稿台に対向する位置に前記移動部が停止して、前記原稿の搬送部材で搬送される原稿の画像を読み取る前記読取ユニットと、
を備え、
前記第１の原稿台の厚さに基づく、前記第１の原稿台に支持された原稿に対する前記読取ユニットの光学距離に、前記原稿の搬送部材で搬送される原稿と前記第２の原稿台との距離と、前記第２の原稿台の厚さとに基づく、前記第２の原稿台を通過する原稿に対する前記読取ユニットの光学距離を、対応させるように、前記第１の原稿台、前記第２の原稿台および前記原稿が搬送される位置の少なくとも１つが設定されたこと
を特徴とする画像の読取装置。
【請求項２】
前記第１の原稿台の原稿の支持面とは反対側の面と、前記第２の原稿台の原稿の通過面とは反対側の面とが面一に設定されたことを特徴とする請求項１に記載の画像の読取装置。
【請求項３】
前記第１の原稿台の原稿の支持面と前記第２の原稿台の原稿の通過する側の面とが面一に設定され、前記原稿の支持面とは反対側の面と前記原稿の通過する側の面の反対側の面との接続部が傾斜面で接続されたことを特徴とする請求項１に記載の画像の読取装置。
【請求項４】
媒体から画像を読み取る請求項１ないし３のいずれかに記載の画像の読取装置と、
前記画像の読取装置に読み取られた画像に基づいて、媒体に画像を記録する画像の記録部と、
を備えたことを特徴とする画像形成装置。
【発明の詳細な説明】
【技術分野】
【０００１】
本発明は、画像の読取装置および画像形成装置に関する。
【背景技術】
【０００２】
従来から、画像の記録された媒体、いわゆる、原稿を読み取る画像の読取装置について、以下の特許文献１，２に記載の技術が知られている。
【０００３】
特許文献１としての特開平６−３７９７６号公報には、密着イメージセンサ（８）で原稿を読み取る場合に、原稿束（２）をコンタクトガラス（８ａ）に押圧しながら搬送する原稿押圧ローラ（７）の外端の半径を、密着イメージセンサ（８）の焦点深度の範囲内で高くする構成が記載されている。したがって、原稿束の厚さによって、原稿がコンタクトガラス（８ａ）から浮いても、密着イメージセンサ（８）の焦点深度の範囲内に原稿の面を押さえることができ、画像がピンボケになることが低減される。
【０００４】
特許文献２としての特許第３６６１７８９号公報には、自動原稿給紙装置（１０）において、搬送ガイド（３６）と下方に湾曲する透明な移動原稿用プラテン（３７）との間で原稿を搬送し、移動原稿用プラテン（３７）が透明な移動原稿用透明部材（２３）と間隔を開けて配置され、移動原稿用透明部材（２３）の下方に、間隔をあけて光学読取手段（２５）が配置された構成が記載されている。特許文献２に記載の構成では、移動原稿用プラテン（３７）の厚さ（ｔ１）、移動原稿用プラテン（３７）と移動原稿用透明部材（２３）との間隔（ｔ２）、移動原稿用透明部材（２３）の厚さ（ｔ３）、移動原稿用透明部材（２３）と読取手段（２５）との間隔（ｔ４）、読取手段（２５）と静止原稿用プラテン（２２）との間隔（ｔ５）、静止原稿用プラテン（２２）の厚さ（ｔ６）、と、空気や各材料の屈折率（nd1〜nd6）とに基づいて、移動原稿と静止原稿とで、焦点距離が一致するように設定されている。
また一般に、手動の原稿読取では原稿をプラテンに置いた後原稿を動かさないが、自動の原稿読取では原稿がプラテンの上を移動するため、原稿によりプラテンが汚れる場合がある。その汚れが、読取位置につくと、汚れを原稿として読み取ってしまう場合がある。
【先行技術文献】
【特許文献】
【０００５】
【特許文献１】特開平６−３７９７６号公報（「００１５」〜「００１７」）
【特許文献２】特許第３６６１７８９号公報（「００４６」〜「００４９」）
【発明の概要】
【発明が解決しようとする課題】
【０００６】
本発明は、手動の原稿読取で原稿表面に接触物がある場合と自動の原稿読取で原稿を浮かせる場合とで、画質が異なることを抑制することを技術的課題とする。
【課題を解決するための手段】
【０００７】
前記技術的課題を解決するために、請求項１に記載の発明の画像の読取装置は、
画像が記録された原稿が支持される透明な第１の原稿台と、
前記第１の原稿台に隣接して配置され、搬送される原稿が離間した状態で通過する透明な第２の原稿台と、
前記第２の原稿台に向けて原稿を搬送する原稿の搬送部材と、
前記各原稿台を挟んで原稿の反対側に支持されて原稿を読み取る読取ユニットであって、前記原稿台に対して予め設定された第１の方向に沿って移動可能な移動部を有し、前記第１の原稿台の原稿を読み取る場合には、前記移動部が前記第１の方向に移動しながら原稿の画像を読み取ると共に、前記第２の原稿台の原稿を読み取る場合には、前記第２の原稿台に対向する位置に前記移動部が停止して、前記原稿の搬送部材で搬送される原稿の画像を読み取る前記読取ユニットと、
を備え、
前記第１の原稿台の厚さに基づく、前記第１の原稿台に支持された原稿に対する前記読取ユニットの光学距離に、前記原稿の搬送部材で搬送される原稿と前記第２の原稿台との距離と、前記第２の原稿台の厚さとに基づく、前記第２の原稿台を通過する原稿に対する前記読取ユニットの光学距離を、対応させるように、前記第１の原稿台、前記第２の原稿台および前記原稿が搬送される位置の少なくとも１つが設定されたこと
を特徴とする。
【０００８】
請求項２に記載の発明は、請求項１に記載の画像の読取装置において、
前記第１の原稿台の原稿の支持面とは反対側の面と、前記第２の原稿台の原稿の通過面とは反対側の面とが面一に設定されたことを特徴とする。
【０００９】
請求項３に記載の発明は、請求項１に記載の画像の読取装置において、
前記第１の原稿台の原稿の支持面と前記第２の原稿台の原稿の通過する側の面とが面一に設定され、前記原稿の支持面とは反対側の面と前記原稿の通過する側の面の反対側の面との接続部が傾斜面で接続されたことを特徴とする。
【００１０】
前記技術的課題を解決するために、請求項４に記載の発明の画像形成装置は、
媒体から画像を読み取る請求項１ないし３のいずれかに記載の画像の読取装置と、
前記画像の読取装置に読み取られた画像に基づいて、媒体に画像を記録する画像の記録部と、
を備えたことを特徴とする。
【発明の効果】
【００１１】
請求項１，４に記載の発明によれば、光学距離が対応しない場合に比べて、手動の原稿読取で原稿表面に接触物がある場合と自動の原稿読取で原稿を浮かせる場合とで、画質が異なることを抑制することができる。
請求項２に記載の発明によれば、読取ユニットと原稿台との距離が一定に保持できる。
請求項３に記載の発明によれば、原稿の支持面側に窪みが発生することを低減できる。
【図面の簡単な説明】
【００１２】
【図１】図１は実施例１の画像形成装置の全体説明図である。
【図２】図２は実施例１の画像の記録部の要部説明図である。
【図３】図３は実施例１の画像の読取装置と開閉部材の斜視図である。
【図４】図４は実施例１の画像の読取装置の説明図である。
【図５】図５は実施例１の手動の原稿台と第２の原稿台の部分の要部拡大図である。
【図６】図６は実施例２の画像の読取装置の説明図であり、実施例１の図５に対応する図である。
【図７】図７は実施例３の画像の読取装置の説明図であり、実施例１の図５に対応する図である。
【発明を実施するための形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像の読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１５】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１６】
スキャナ部Ｕ２の上面には、透明な原稿台の一例としてのプラテンガラスＰＧが配置されている。実施例１のスキャナ部Ｕ２には、プラテンガラスＰＧの下方に、読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
【００１７】
図２は実施例１の画像の記録部の要部説明図である。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
実施例１の露光装置ＲＯＳは、書込光の一例としてのＹ，Ｍ，Ｃ，Ｋの各色に対応したレーザービームＬｙ，Ｌｍ，Ｌｃ，Ｌｋを出力可能に構成されている。露光装置ＲＯＳは、書込回路ＤＬから入力された信号に応じたレーザービームＬｙ〜Ｌｋを出力可能に構成されている。
図１において、露光装置ＲＯＳの上方には、像保持体の一例としての感光体ＰＲｙ，ＰＲｍ，ＰＲｃ，ＰＲｋが配置されている。図１、図２において、各感光体ＰＲｙ〜ＰＲｋにレーザービームＬｙ〜Ｌｋが照射される領域により、書込領域Ｑ１ｙ，Ｑ１ｍ，Ｑ１ｃ，Ｑ１ｋが構成されている。
【００１８】
各感光体ＰＲｙ，ＰＲｍ，ＰＲｃ，ＰＲｋの回転方向に対して、書込領域Ｑ１ｙ〜Ｑ１ｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００１９】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２０】
前記Ｙ色の感光体ＰＲｙ、帯電ロールＣＲｙ、Ｙ色のレーザービームＬｙを出力する露光装置ＲＯＳ、現像装置Ｇｙ、１次転写ロールＴ１ｙ、感光体クリーナＣＬｙにより、可視像の一例としてのトナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＲＯＳ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２１】
前記感光体ＰＲｙ〜ＰＲｋの上方には、中間転写装置の一例としてのベルトモジュールＢＭが配置されている。ベルトモジュールＢＭは、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２２】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２３】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の右上方には、取出部材の一例としてのピックアップロールＲｐが配置されている。記録シートＳの搬送方向に対して、ピックアップロールＲｐの下流側には、捌き部材の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２４】
給紙路ＳＨ１には、２次転写領域Ｑ４の上流側に、搬送時期の調節部材の一例としてのレジロールＲｒが配置されている。
シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２５】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。
【００２６】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｙ〜Ｌｋを出力する。
【００２７】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００２８】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００２９】
画像が記録されるシートＳは、使用される給紙トレイＴＲ１〜ＴＲ３のピックアップロールＲｐにより、取り出される。ピックアップロールＲｐで取り出されたシートＳは、複数枚のシートＳが重ねて取り出された場合、捌きロールＲｓにより１枚ずつに分離される。捌きロールＲｓで分離されたシートＳは、搬送ロールＲａにより給紙路ＳＨ１を搬送される。給紙路ＳＨ１を搬送されたシートＳは、レジロールＲｒに送られる。
レジロールＲｒは、中間転写ベルトＢに形成されたトナー像が２次転写領域Ｑ４に搬送される時期を合わせて、シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢからシートＳに転写される。
【００３０】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送されたシートＳは、排紙ロールＲｈにより排紙トレイＴＲｈに排出される。
【００３１】
（画像の読取装置の説明）
図３は実施例１の画像の読取装置と開閉部材の斜視図である。
図３において、画像の読取装置の一例としてのスキャナ部Ｕ２は、筐体の一例としてのケース１を有する。前記ケース１の上面には、開口の一例としてのガラスの支持口１ａが形成されている。前記ガラスの支持口１ａは左右方向に長い長方形状に形成されている。前記ガラスの支持口１ａの左部には、前後方向に延びる板状の仕切り部２が形成されている。前記仕切り部２は、ガラスの支持口１を、右側の手動の読取口１ａ１と、左端側の自動の読取口１ａ２と、に仕切っている。よって、各読取口１ａ１,１ａ２は、長方形状に構成されている。
【００３２】
図４は実施例１の画像の読取装置の説明図である。
図３、図４において、手動の読取口１ａ１には、第１の原稿台の一例としての読取ガラス３が支持されている。実施例１の読取ガラス３は、透明な平板状のガラスで形成されている。前記読取ガラス３には、画像の記録された媒体、いわゆる、原稿Ｇｉが支持される。なお、前記読取ガラス３は、予め設定された読取可能な最大の原稿の大きさに基づいて形成されている。実施例１では、読取可能な最大の原稿の大きさ、すなわち、読取可能な最大の原稿のサイズは、一例として、規格化されたサイズのＡ３が設定されている。すなわち、実施例１の読取ガラス３は、左右方向がＡ３サイズの長辺に対応し、且つ、前後方向がＡ３サイズの短辺に対応する大きさに形成されている。
【００３３】
前記読取ガラス３の後方には、左右方向に延びる板状の後側の揃え部４が支持されている。前記後側の揃え部４は読取ガラス３の後端に沿って配置されている。前記後側の揃え部４は、読取ガラス３の上面に対して上方に段差を有する状態で配置されている。よって、後側の揃え部４には、原稿Ｇｉの後端の縁を接触させて、原稿Ｇｉの後端の位置を揃えることが可能になっている。また、前記読取ガラス３の左方、すなわち、仕切り部２の右部には、前後方向に延びる板状の左側の揃え部６が支持されている。前記左側の揃え部６は、読取ガラス３の左端に沿って配置されている。前記左側の揃え部６は、読取ガラス３の上面に対して上方に段差を有する板状に形成されている。よって、左側の揃え部６には、原稿Ｇｉの左端の縁を接触させて、原稿Ｇｉの左端の位置を揃えることが可能になっている。
【００３４】
図３、図４において、前記自動の読取口１ａ２には、第２の原稿台の一例としての読取ガラス１１が支持されている。実施例１の読取ガラス１１は、透明な平板状のガラスで形成されている。なお、前記読取ガラス１１の前後方向の長さは、予め設定された読取可能な最大の原稿の大きさに基づいて形成されている。実施例１では、前記読取ガラス１１の前後方向の長さは、Ａ３サイズの短辺の長さに対応して形成されている。前記読取ガラス３と前記読取ガラス１１とにより、実施例１の支持面の一例としてのプラテンガラスＰＧが構成されている。
【００３５】
読取ガラス１１の左端上面には、案内部材の一例としてのパッド１６が支持されている。パッド１６は、原稿の搬送路Ｕ３ａで読取ガラス１１に向けて搬送された原稿Ｇｉを右方に案内するように、低摩擦材料で構成されている。パッド１６で案内された原稿Ｇｉは、読取ガラス１１の上方を通過して、原稿のガイド１２で案内され、下流側の原稿の搬送ロールＵ３ｂで搬送される。
前記読取ガラス１１の右方、すなわち、仕切り部２の左部には、原稿の案内部材の一例として、前後方向に延びる原稿のガイド１２が支持されている。前記原稿のガイド１２は、左端の高さが読取ガラス１１の上面よりも低く設定され且つ右側に進むに連れて上方に傾斜する形状に形成されている。
【００３６】
図１、図４において、プラテンガラスＰＧの下方には、読取ユニットＵ２ａが配置されている。
前記読取ユニットＵ２ａは、読取部材の一例としてのＣＩＳ（Contact Image Sensor）ユニット２１と、ＣＩＳユニット２１を支持する移動部の一例としてのキャリッジ２２とを有する。
ＣＩＳユニット２１は、第１の方向の一例としての主走査方向に延びている。なお、実施例１では、主走査方向は、前後方向に対応している。ＣＩＳユニット２１は、内部に、光源の一例としてのランプ２１ａが支持されている。ランプ２１ａは、読取ガラス３の上面の原稿Ｇｉに向けて読み取り用の光、いわゆる照明光を照射する。
【００３７】
ＣＩＳユニット２１の内部には、原稿Ｇｉで反射された照明光を受光して画像を読み取る受光部２１ｂが支持されている。受光部２１ｂで受光した光は、基板２１ｃで電気信号に処理されて画像処理部ＧＳに送られる。なお、ＣＩＳに関しては、従来公知であり、例えば、特開２００７−１３３０９号公報や特開２０１２−１５１５６８号公報に記載されているような種々の構成を採用可能である。
実施例１のＣＩＳユニット２１は、前後両端に、上方に突出する接触部２１ｄが４カ所設けられている。接触部２１ｄは、上面が弧状に形成されており、接触部２１ｄが読取ガラス３の下面に接触しながら移動する場合でも、摩擦抵抗が少なくなるように構成されている。
【００３８】
ＣＩＳユニット２１は、キャリッジ２２に対して上下方向に移動可能に支持されており、ＣＩＳユニット２１は、押し付け部材の一例としてのバネ２４で上方に付勢されている。したがって、バネ２４で押されたＣＩＳユニット２１は、接触部２１ｄが読取ガラス３の下面に押し当てられた状態で保持される。すなわち、ＣＩＳユニット２１のランプ２１ａや受光部２１ｂと、読取ガラス３の上面の原稿Ｇｉとの距離が、予め設定された間隔に保持される。
実施例１のキャリッジ２２は、図示しないユニットの案内部材の一例としてのガイドシャフトにより第２の方向の一例としての副走査方向に移動可能に支持されている。また、キャリッジ２２には、図示しないユニットの移動部材の一例としてのベルトが接続されており、ベルトの正逆回転により副走査方向に移動される。よって、実施例１の読取ユニットＵ２ａは、プラテンガラスＰＧの下方に配置された複数のセンサの検知信号に基づいて、移動する。オートフィーダＵ３で搬送される原稿Ｇｉを読み取る場合は、図１の実線で示す位置に読取ユニットＵ２ａが移動し、読取ガラス３の上面に支持された原稿Ｇｉを読み取る場合は、図１の破線で示す読取開始位置から右方に読取ユニットＵ２ａが移動する。
【００３９】
図５は実施例１の手動の原稿台と第２の原稿台の部分の要部拡大図である。
図５において、読取用の読取ガラス１１の上方には、原稿の案内面３１が配置されている。原稿の案内面３１は、自動で原稿Ｇｉを読み取る場合に、原稿の搬送路Ｕ３ａを搬送される原稿Ｇｉの上面、すなわち、読取面とは反対側の面を案内可能に構成されている。よって、自動での原稿の読取時は、案内面３１の位置を原稿Ｇｉが通過している。
なお、実施例１では、手動読取時の光学距離Ｌ１と、自動読取時の光学距離Ｌ２とが一致するように設定されている。具体的には、手動読取用の読取ガラス３の厚さをｔ１とし、自動読取用の読取ガラス１１の厚さをｔ２とし、読取ガラス１１の上面から案内面３１間での距離をｔ３とし、空気の屈折率を１とし、ガラスの屈折率を１．５２とした場合に、以下の式（１）の関係を満たすように、各長さｔ１〜ｔ３が設定されている。
Ｌ１＝１．５２×ｔ１＋ｔ４
Ｌ２＝１．５２×ｔ２＋ｔ３＋ｔ４
１．５２×ｔ１＝１．５２×ｔ２＋ｔ３  …式（１）
【００４０】
なお、実施例１では、ＣＩＳユニット２１は、読取ガラス３，１１に対して押し当てられている。すなわち、ＣＩＳユニット２１の受光部２１ｃから読取ガラス３，１１までの距離ｔ４は、常時一定に保持される。
ここで、実施例１では、図４、図５に示すように、各読取ガラス３，１１の下面が面一となるように設定されており、読取ユニットＵ２ａは、読取ガラス３，１１の下面に接触しながら左右方向に移動可能である。
なお、各読取ガラス３，１１の材料が異なる場合には、各材料の屈折率をｎ１，ｎ２とした場合、式（１）は、以下の一般化された式（１′）となる。
ｎ１×ｔ１＝ｎ２×ｔ２＋ｔ３  …式（１′）
【００４１】
（実施例１の画像の読取装置の機能）
前記構成を備えた実施例１のスキャナ部Ｕ２では、オートフィーダＵ３で搬送される原稿Ｇｉが読み取られる場合、読取ユニットＵ２ａは、自動読取用の読取ガラス１１の下方に移動して、上方の案内面３１に沿って通過する原稿Ｇｉが読み取られる。また、手動読取用の読取ガラス３の上面に支持された原稿Ｇｉが読み取られる場合、読取ユニットＵ２ａは、読取開始位置から右方に移動して、原稿Ｇｉが読み取られる。
このとき、実施例１では、読取ユニットＵ２ａから読取ガラス３の上面の原稿Ｇｉまでの光学距離Ｌ１と、読取ユニットＵ２ａからオートフィーダＵ３で搬送される原稿Ｇｉまでの光学距離Ｌ２と、が対応するように、読取ガラス３，１１の厚さｔ１，ｔ２等が設定されている。
【００４２】
仮に、ガラス３，１１が同じ厚さで形成された構成では、オートフィーダＵ３で原稿を搬送する場合に、原稿Ｇｉが、読取ガラス１１に密着した状態で搬送される必要がある。この構成では、原稿Ｇｉの画像が高速で擦れて一部落ちたり、原稿Ｇｉの紙粉が落ちたりする場合がある。また原稿Ｇｉの表面に、例えば、修正液や修正テープ、粘着剤等が付着していた場合に、原稿Ｇｉから読取ガラス１１に付着して読取ガラス１１が汚れてしまい、読取画像に悪影響が出る場合がある。そこで、本願発明では、原稿の表面を読取位置の上流に設けたプランテンガラスＰＧより高さのあるパッド１６の段差に必ず接触させるよう原稿Ｇｉを案内し、原稿の読取位置の下流側でその段差よりも高いジャンプ台状のガイド１２で原稿Ｇｉをすくい上げることによって、オートフィーダＵ３で原稿Ｇｉを搬送する場合には、原稿Ｇｉは、読取ガラス１１から離間させた状態で安定して、搬送させている。
【００４３】
ここで、ガラス３，１１が同じ厚さで、オートフィーダＵ３を使用する場合に読取ガラス１１から原稿Ｇｉを離すと、光学距離Ｌ１，Ｌ２、すなわち、光路長が一致しなくなる。光学距離が一致しない場合には、読取ガラス３上の原稿Ｇｉの読取画像と、オートフィーダＵ３で搬送される原稿Ｇｉの読取画像とで、画像の大きさが厳密に一致しなかったり、焦点位置のずれや、収差の影響のズレ等で、画質が異なる恐れがある。特に、ＣＩＳユニットを使用している場合には、ＣＩＳの特性上、光学距離が異なると、いわゆる、ピンぼけが発生する等、受ける影響が大きくなりやすい。
これに対して、実施例１では、光学距離Ｌ１，Ｌ２が一致しており、オートフィーダＵ３を使用する場合と、そうでない場合とで、画質を安定させることが可能である。
なお、特許文献２に記載の発明では、原稿Ｇｉを沿わせるための別部材（３７）を設けて、画質の安定性を図っているが、この部材（３７）に対しても、前述の画像の一部や紙粉等が付着するという問題がある。これに対して、実施例１では、完全に浮かせているので、その問題はない。
【実施例２】
【００４４】
図６は実施例２の画像の読取装置の説明図であり、実施例１の図５に対応する図である。
次に本発明の実施例２の説明をするが、この実施例２の説明において、前記実施例１の構成要素に対応する構成要素には同一の符号を付して、その詳細な説明は省略する。
この実施例２は下記の点で、前記実施例１と相違しているが、他の点では前記実施例１と同様に構成される。
【００４５】
図６において、実施例２のスキャナ部Ｕ２では、読取ガラス３，１１の下面が面一に設定された実施例１と異なり、読取ガラス３，１１の上面が面一に設定されている。なお、実施例２でも、前記式（１）の関係を満たすように、読取ガラス３，１１の厚さｔ１，ｔ２等が設定されている。よって、実施例２では、読取ガラス３，１１の下面の高さが異なっている。
そして、接続部の一例としての仕切部２の下面２ａが、読取ガラス３，１１の下面どうしを接続するように、右側から左側に行くにつれて上方に傾斜する傾斜面により構成されている。よって、読取ユニットＵ２ａが左右方向に移動する際に、仕切部２の下面２ａに沿って、案内されて移動する。このとき、読取ユニットＵ２ａでは、ＣＩＳユニット２１が、キャリッジ２２に対して、上下方向に移動可能且つバネ２４で上方に押されている。よって、ＣＩＳユニット２１は、各読取ガラス３，１１の下面に接触した状態で保持される。
【００４６】
前記構成を備えた実施例２のスキャナ部Ｕ２では、実施例１と同様に、オートフィーダＵ３を使用した原稿Ｇｉの読取と、読取ガラス３の上面に支持された原稿Ｇｉの読取とで、画質を安定させることが可能である。
また、実施例２では、読取ガラス３，１１の上面を面一にすることができ、自動読取用の読取ガラス１１の部分が窪んだ状態となる場合に比べて、読取ガラスを組み込むフレームに対して、同じ高さの位置決めをすればよいので、ガラス表面の高さの寸法出しがしやすい。
【実施例３】
【００４７】
図７は実施例３の画像の読取装置の説明図であり、実施例１の図５に対応する図である。
次に本発明の実施例３の説明をするが、この実施例３の説明において、前記実施例１の構成要素に対応する構成要素には同一の符号を付して、その詳細な説明は省略する。
この実施例３は下記の点で、前記実施例１と相違しているが、他の点では前記実施例１と同様に構成される。
【００４８】
図７において、実施例３のスキャナ部Ｕ２では、案内面３１を有する実施例１と異なる。具体的には、読取ガラス１１に対して、原稿の搬送側の上流側では、原稿Ｇｉを読取ガラス側に案内する案内部材の一例として、薄膜状の弾性フィルム４１が配置されている。弾性フィルム４１の下方には、読取ガラス１１の左端上面に、第２の案内部材の一例としてのパッド１６が支持されている。パッド１６は、弾性フィルム４１で下方にガイドされた原稿Ｇｉを右方に案内するように、低摩擦材料で構成されている。パッド１６で案内された原稿Ｇｉは、読取ガラス１１の上方を通過して、原稿のガイド１２で案内され、下流側の原稿の搬送ロールＵ３ｂで搬送される。
なお、実施例３では、式（１）における距離ｔ３が、図７に示すように、読取ガラス１１の上面から、原稿Ｇｉの表面が通過する位置までの距離ｔ３となっている。そして、式（１）を満足するように、読取ガラス３，１１の厚さｔ１，ｔ２が設定されている。
【００４９】
前記構成を備えた実施例３のスキャナ部Ｕ２では、実施例１，２と同様に、オートフィーダＵ３を使用した原稿Ｇｉの読取と、読取ガラス３の上面に支持された原稿Ｇｉの読取とで、画質を安定させることが可能である。また、実施例３では、実施例１，２と異なる原稿Ｇｉの案内構造においても、画質を安定させることが可能である。
【００５０】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ03）を下記に例示する。
（Ｈ01）前記実施例において、画像形成装置の一例としての複写機Ｕを例示したが、これに限定されず、ＦＡＸ、あるいは、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。また、前記実施例において、画像の読取装置の一例としてスキャナ部Ｕ２を例示し、複写機Ｕに備えられた構成を例示したが、これに限定されず、本願発明は、スキャナ単体の構成にも適用可能である。
【００５１】
（Ｈ02）前記実施例において、読取ガラス３，１１は、上面または下面が面一の構成とすることが望ましいが、これに限定されず、上面、下面のいずれも面一とならない配置とすることも可能である。
（Ｈ03）前記実施例において、光学距離Ｌ１，Ｌ２は厳密に一致させることが望ましいが、これに限定されない。例えば、要求される画質の程度や、ガラスの加工精度、既製品の厚さの刻み幅等に応じて、完全に一致していなくても、ほぼ対応する値とすることも可能である。
【符号の説明】
【００５２】
２ａ…接続部、
３…第１の原稿台、
１１…第２の原稿台、
２２…移動部、
Ｇｉ…原稿、
Ｌ１，Ｌ２…光学距離、
ｔ１…第１の原稿台の厚さ、
ｔ２…第２の原稿台の厚さ、
ｔ３…原稿と第２の原稿台との距離、
Ｕ…画像形成装置、
Ｕ２…画像の読取装置、
Ｕ２ａ…読取ユニット、
Ｕ３ｂ…原稿の搬送部材。
【図１】
2015173349.tif 000003
【図２】
2015173349.tif 000004
【図３】
2015173349.tif 000005
【図４】
2015173349.tif 000006
【図５】
2015173349.tif 000007
【図６】
2015173349.tif 000008
【図７】
2015173349.tif 000009